(57)【特許請求の範囲】
【請求項１】
少なくとも両端部を回転軸により支持され、駆動源により駆動される第１の搬送部と、少なくとも両端部を一端が回動自在に支持された支持部の他端に設けた回転軸により支持され、上記駆動源により駆動される第２の搬送部と、上記支持部を所定角度に固定して第２の搬送部の高さを調整する高さ調整部を備え、第１及び第２の搬送部上に搬送物を載置して搬送することを特徴とする搬送装置。
【発明の詳細な説明】
【０００１】
【発明の属する技術分野】
この発明は、物を搬送する搬送装置に関するものである。
【０００２】
【従来の技術】
図３は従来のローラコンベアの概略正面図を示し、１は架台、２は架台１に回転軸を介して紙面と直角方向に複数本回転自在に設けられたローラ、３はローラ２上に載置された搬送物であり、各ローラ２を図示しないモータによりチェーンやスプロケットを介して回転させ、ローラ２上に載置された搬送物３を搬送している。
【０００３】
図４は従来のスラットコンベアの概略正面図を示し、５はエンドレスチェーンの表面にスラットを設けたスラットチェーンであり、その両端を架台１に設けられた回転軸４にスプロケットを介して支持されており、一対のスラットチェーン５上に搬送物３を載置し、図示しないモータによりチェーン、スプロケットを介して回転軸４を回転させ、スラットチェーン５を駆動して搬送物３を搬送する。
【０００４】
図５は従来のベルトコンベアの概略正面図を示し、６は各ローラ２の周囲に配設されたベルトであり、回転軸４をモータにより回転させることによりベルト６を移動させ、ベルト６上に載置された搬送物３を搬送する。
【０００５】
【発明が解決しようとする課題】
従来の搬送装置は上記のように構成されており、搬送物３の下面が平坦な場合は、どのような搬送物３でも搬送することができる。又、搬送物３の下面が平坦でない場合には、ローラコンベアではローラ２間に落ち込み、搬送が困難であるが、図６に示すようなスラットコンベアやベルトコンベアでは搬送物３は斜めになるが搬送は可能である。しかし、下面が平坦でない搬送物３を上面を水平に保ったまま搬送することは、従来の搬送装置では困難であった。
【０００６】
この発明は上記のような課題を解決するためになされたものであり、搬送物を下面が平坦な場合も平坦でない場合も上面を水平に保ったまま搬送することができる搬送装置を得ることを目的とする。
【０００７】
【課題を解決するための手段】
この発明に係る搬送装置は、少なくとも両端部を回転軸により支持され、駆動源により駆動される第１の搬送部と、少なくとも両端部を一端が回動自在に支持された支持部の他端に設けた回転軸により支持され、上記駆動源により駆動される第２の搬送部と、上記支持部を所定角度に固定して第２の搬送部の高さを調整する高さ調整部を設け、第１及び第２の搬送部上に搬送物を載置して搬送するものである。
【０００８】
【発明の実施の形態】
以下、この発明の実施の形態を図面とともに説明する。図１（ａ），（ｂ）はこの実施形態によるスラットコンベアの概略正面図及び概略側面図を示し、７は架台１の下部に取り付けられたモータであり、モータ７にはスプロケット８が取り付けられている。１１，１２は架台１の上部に回転自在に設けられた高さ一対の回転軸、９は回転軸１１の中央部に取り付けられたスプロケット、１０は同じく回転軸１１の右端に取り付けられたスプロケットに一端が係合された第１のスラットチェーンであり、第１のスラットチェーン１０の他端は回転軸１２に取り付けられたスプロケットに係合されている。１３はスプロケット８，９間に係合されたチェーンである。又、回転軸１１の左端寄りにはスプロケット１４が取り付けられるとともに、一対の支持部１５の一端が回動自在に（即ち、回転軸１１が回転しても回動しない。）連結されている。支持部１５には長さ方向に複数の高さ調整孔１５ａから設けられている。
【０００９】
回転軸１２の左端寄りにも一対の支持部１６の一端が回動自在に連結され、支持部１６には長さ方向に複数の孔１６ａが設けられている。支持部１５，１６の他端には回転軸１７，１８がそれぞれ回転自在に設けられ、回転軸１７には支持部１５間においてスプロケット１９を介して第２のスラットチェーン２１の一端が係合されると共に、支持部１５間外においてスプロケット２２が設けられ、スプロケット１４，２２間にチェーン２３が係合される。第２のスラットチェーン２１の他端は回転軸１８に取り付けられたスプロケット２０に係合されている。一方架台１の上部には複数の高さ調整孔１ａが設けられている。
【００１０】
支持部１５，１６の一端は上記したように回転軸１１，１２に回動自在に連結されており、このままでは支持部１５，１６は固定されない。そこで、図２に示すようなコ字状の連結具２４を用意し、連結具２４は両端部にねじ部２４ａを有している。このようなコ字状の連結具２４の両端部を支持部１５，１６の任意の高さ調整孔１５ａ，１６ａと架台１の任意の高さ調整孔１ａに挿通し、蝶ナットにより締結することにより、各支持部１５，１６は０〜９０度の間の所定角度で固定される。
【００１１】
上記構成のスラットコンベアについては、図示のように搬送物３の下面が平坦でない場合には連結具２４により各支持部１５，１６と架台１間を連結し、支持部１５，１６を図示のような直立位置に固定する。これにより、第１及び第２のスラットチェーン１０，２１間には搬送物３の下面の段差分の高さの相違が生じ、スラットチェーン１０，２１上に位置した搬送物３は上面を水平にして搬送することができる。搬送時には、モータ７を駆動すると、スプロケット８，９及びチェーン１３を介して回転軸１１が回転し、第１のスラットチェーン１０が駆動される。同時に、回転軸１１の回転はスプロケット１４，２２及びチェーン２３を介して回転軸１７に伝えられ、第２のスラットチェーン２１も移動する。従って、搬送物３はスラットチェーン１０，２１によって搬送される。
【００１２】
次に、搬送物３の下面の段差がもっと小さい場合には連結具２４を取り外し、支持部１５，１６を回動して再び連結具２４を別の高さ調整孔１ａ，１５ａ，１６ａに挿通して固定することにより第２のスラットチェーン２１の高さは低くなり、スラットチェーン１０，２１間の高さの相違が段差分に等しくなる。さらに、搬送物３の下面が平坦な場合には支持部１５，１６をさらに回動して架台１の上部と平行にして固定すれば各スラットチェーン１０，２１の高さは等しくなり、搬送物３を支障なく搬送することができる。
【００１３】
上記した実施形態によれば、第２のスラットチェーン２１の高さを変えることができ、搬送物３の下面に段差があっても平坦であっても搬送物３の上面を水平に保ったまま搬送することができる。又、回転軸１１と支持部１５の回動中心を一致させたので構成を簡単安価にすることができる。
【００１４】
なお、上記実施形態においては、スラットコンベアの例を示したが、スラットチェーン１０，２１に代わってローラを用いたローラコンベア、ベルトを用いたベルトコンベア、単なるチェーンを用いたチェーンコンベアでもよい。又、支持部１５，１６を水平方向に近づけると、スラットチェーン１０，２１間の搬送方向位置のずれが大きくなるが、スラットチェーン１０，２１は実際にはもっと長いものであるため、大きな支障はない。
【００１５】
【発明の効果】
以上のようにこの発明によれば、第１の搬送部は位置を固定し、第２の搬送部は高さ位置を可変としており、この第１及び第２の搬送部上に載置して搬送する搬送物の下面に段差があっても上面を水平に保ったまま搬送することができる。
【図面の簡単な説明】
【図１】この発明によるスラットコンベアの概略正面図及び概略側面図である。
【図２】この発明による連結具の平面図である。
【図３】従来のローラコンベアの概略正面図である。
【図４】従来のスラットコンベアの概略正面図である。
【図５】従来のベルトコンベアの概略正面に図である。
【図６】従来のスラットコンベア上に下面に段差のある搬送物を載置した状態を示す概略正面図である。
【符号の説明】
１…架台
１ａ，１５ａ，１６ａ…高さ調整孔
２…ローラ
３…搬送物
６…ベルト
７…モータ
８，９，１４，１９，２０，２２…スプロケット
１０…第１のスラットチェーン
１１，１２，１７，１８…回転軸
１３，２３…チェーン
１５，１６…支持部
２１…第２のスラットチェーン
２４…連結具
【図１】
0003570072.tif 000002
【図２】
0003570072.tif 000003
【図３】
0003570072.tif 000004
【図４】
0003570072.tif 000005
【図５】
0003570072.tif 000006
【図６】
0003570072.tif 000007